(57)【要約】【課題】  内容液を注出後、蓋体を閉蓋する際に、注出部材の注出筒のラッパ状に広がった先端部付近に付着した内容液が残らないようにすることができる蓋体を提供すること。【解決手段】  注出部材の蓋体として、容器口筒部に取着した注出部材の蓋体であって、注出部材は、先端部がラッパ状に拡径された注出筒が立設されており、蓋体は、頂壁下面に、注出筒を密封する栓体と、注出筒先端部外周に係合し、先端部を扱く扱き筒が垂設されていることを特徴とする。【選択図】  図１
2008247451.tif 000002
【特許請求の範囲】
【請求項１】
容器口筒部に取着した注出部材の蓋体であって、
注出部材は、先端部がラッパ状に拡径された注出筒が立設されており、
蓋体は、頂壁下面に、注出筒を密封する栓体と、注出筒先端部外周に係合し、先端部を扱く扱き筒が垂設されていることを特徴とする注出部材の蓋体。
【請求項２】
扱き筒の内周に、扱き突部が形成されていることを特徴とする請求項１記載の注出部材の蓋体。
【請求項３】
扱き筒の内周に、上段部と、扱き突部と、上段部より拡径されて形成される下段部とが形成されていることを特徴とする請求項１記載の注出部材の蓋体。
【発明の詳細な説明】
【技術分野】
【０００１】
本発明は、容器の注出部材の蓋体、とくに蓋体装着時に注出筒先端を扱く扱き筒を設けた蓋体に関するものである。
【背景技術】
【０００２】
容器本体の口筒部に装着された注出キャップの注出筒を閉蓋する蓋体において、閉蓋時に、蓋体の頂壁の中央に垂設した栓体を、注出キャップの注出筒の内周に挿入して容器内を密閉するようにした蓋体は、従来より知られている（例えば、特許文献１参照）。
【特許文献１】特開２００５−４１５０６
【発明の開示】
【発明が解決しようとする課題】
【０００３】
しかしながら、特許文献１記載の蓋体では、キャップの注出筒の先端部がラッパ状に広がっており、内容液を注出後、蓋体を閉蓋する際に、注出筒内周に付着した内容液は蓋体の栓体により密閉されるが、注出筒の先端部付近に付着した内容液は残り、そのまま外気にさらされ、注出筒自体が不衛生になるという問題があった。
【０００４】
また、注出筒の先端部に付着した内容液が乾燥して固体化し、再度内容液を使用する際に、液の流れの妨げとなり、内容液の注出が安定しなかった。
【０００５】
本発明は、上記の事情を考え、内容液を注出後、蓋体を閉蓋する際に、注出部材の注出筒のラッパ状に広がった先端部付近に付着した内容液が残らないようにすることができる蓋体を提供することを目的とする。
【課題を解決するための手段】
【０００６】
本発明は、上記の課題を解決するため、注出部材の蓋体として、容器口筒部に取着した注出部材の蓋体であって、注出部材は、先端部がラッパ状に拡径された注出筒が立設されており、蓋体は、頂壁下面に、注出筒を密封する栓体と、注出筒先端部外周に係合し、先端部を扱く扱き筒が垂設されていることを特徴とする構成を採用する。
【０００７】
扱き筒の実施例として、扱き筒の内周に、扱き突部が形成されていることを特徴とする構成、さらに、扱き筒の内周に、上段部と、扱き突部と、上段部より拡径されて形成される下段部とが形成されていることを特徴とする構成を採用する。
【発明の効果】
【０００８】
本発明は、蓋体の頂壁下面に、注出部材のラッパ状に広がった注出筒先端部外周に、内周が当接する扱き筒を配設したので、内容液を注出後、蓋体を閉蓋した際に、扱き筒が注出筒の先端部を扱き、付着した内容液が残らないようにすることができ、注出筒を清潔に保つことができる。
また、注出筒の先端部に内容液が残らないので、内容液が乾燥して固体化して液の流れの妨げとなり、内容液の注出が安定しなかったりすることがなく、内容液の注出を安定して行うことができる。
【発明を実施するための最良の形態】
【０００９】
次に、本発明の容器について、図面を参照して説明する。
図１において、Ａは容器本体、Ｂは注出部材、Ｃは容器本体Ａおよび注出部材に装着して閉蓋する蓋体である。
容器本体Ａは、口筒部１と肩部２とを具えている。
【００１０】
注出部材Ｂは、容器本体Ａの口筒部１に装着される中栓Ｂ１と、中栓Ｂ１の上部に、開閉自在に装着される注出キャップＢ２と、中栓Ｂ１と注出キャップＢ２とを連設するヒンジＢ３とからなっている。
【００１１】
中栓Ｂ１は、内筒５と底壁６とを具えており、底壁６には、注出口を形成する除去部７を切断する切断溝が刻設され、除去部７の上面には、プルリング８が立設されている。
【００１２】
注出キャップＢ２は、中栓Ｂ１の内筒５の上部に開閉自在に装着されており、上部に注出筒９を具え、図２（ａ）に示すように、注出筒９の先端には、内容液を流れ易くするとともに、液垂れ防止のため、上端に向かってラッパ状に拡径された先端部９ａが形成されている。
【００１３】
蓋体Ｃは、頂壁１０と、頂壁１０の中央に垂設され、注出キャップＢ２の注出筒９内周と係合する栓体１１と、頂壁１０下面に配設され、注出筒９の先端部９ａと係合する扱き筒１２と、頂壁１０の外周縁に垂設され、下端が容器本体Ａの肩部２と係合する外側筒１３とを具えている。
【００１４】
扱き筒１２の内周には、図２（ａ）に示すように、上部に形成される上段部１４と、上段部１４の下部に形成される扱き突部１５と、扱き突部１５の下部に形成され、上段部１４より拡径されて形成される下段部１６とが配設されている。
【００１５】
次に、本発明のキャップの使用態様と作用効果について説明する。
内容液を使用する際には、容器本体Ａから蓋体Ｃを外して開蓋した後、中栓Ｂ１の上部から注出キャップＢ２を開蓋する。
次に、中栓Ｂ１のプルリング８を引張って切断溝を切断して底壁６から除去部７を取外し、注出口を開口した後、注出キャップＢ２を中栓Ｂ１に装着し、注出キャップＢ２の注出筒９より内容液を注出する。
また、注出キャップＢ２を中栓Ｂ１に装着せず、中栓Ｂ１の内筒５より内容液を太く注出することもできる。
【００１６】
内容液の使用を中止する際には、中栓Ｂ１の上部に注出キャップＢ２を装着した状態で、容器本体Ａに蓋体Ｃを装着し、閉蓋する。
容器に対して蓋体Ｃが下降する時、蓋体Ｃの栓体１１が注出キャップＢ２の注出筒９内周に挿入されていくとともに、図２（ｂ）に示すように、注出筒９の先端部９ａが、扱き筒１２内周の扱き突部１５下部面に当接する。
【００１７】
蓋体Ｃの下降が進むと、注出筒９の先端部９ａが変形しながら、扱き筒１２内周の扱き突部１５を乗り越え、図１（ｂ）に示すように、扱き筒１２内周の上段部１４に係合する。
【００１８】
閉蓋時の蓋体Ｃの下降により、注出キャップＢ２の注出筒９の先端部９ａが、蓋体Ｃの扱き筒１２の内周の扱き突部１５を乗り越えることによって扱かれるので、内容液注出の際、注出筒９の先端部９ａに残った内容液は、下方に落とされて先端部９ａに残らない。
【００１９】
本実施形態では、蓋体Ｃの扱き筒１２の内周に、上段部１４と扱き突部１５と下段部１６とを形成し、注出キャップＢ２の注出筒９の先端部９ａを扱いたが、扱き筒１２の内周を先端部９ａと当接しない径で形成し、所定の位置に扱き突部１５を突設するだけでもよい。
また、扱き筒１２の内周を、注出筒９の先端部９ａの上端外径より小径のものとすることにより、閉蓋時の蓋体Ｃの下降により、注出筒９の先端部９ａが扱き筒１２の内周を摺動し、変形させ、扱くようにしてもよい。
【００２０】
扱き突部１５の形状は、扱き筒１２の内面からつば状に突出する突出板、上下に並列された複数の突出板でもよく、上記実施形態の形状に限定されない。  
また、蓋体Ｃの扱き筒１２内周と、注出部材Ｂの上部に突出する注出筒９のラッパ状に拡径された先端部９ａとが係合し、注出筒の先端が扱かれるようにできれば、注出筒内を清潔にすることができるので、注出筒の径、それに伴う扱き筒の径は、上記実施形態に限定されない。
【００２１】
前記実施形態の注出部材Ｂの構成は、容器口筒部１に注出キャップＢ２を取着した中栓Ｂ１を装着し、蓋体Ｃで注出キャップＢ２を閉蓋するようにしているが、例えば、図３に示すように、注出部材を、中栓Ｄだけのものとし、中栓Ｄの内筒を先端部２０ａがラッパ状に拡径された注出筒２０とした容器の構成でも、蓋体Ｅの頂壁１０に、中栓Ｄの注出筒２０の内周を密封する密封リング２１を垂設するとともに、密封リング２１の外側に、内周が中栓Ｄの注出筒２０の先端部２０ａに係合し、扱く、扱き筒２２を設ければ、前期実施形態と同様に、閉蓋時に、注出筒２０の先端部２０ａに残った内容液を下方に落し、先端部２０ａに残らないようにすることができる。
注出部材の構成は、実施形態に限定されない。
【００２２】
また、前記実施形態では、蓋体を注出部材と別体で形成したが、蓋体と注出部材をヒンジを介して連設し、蓋体が注出部材に対してヒンジを介して閉蓋するようにした、蓋体と注出部材とからなるヒンジキャップとしてもよい。
また、蓋体が容器にねじにより螺合するねじキャップとしてもよい。
蓋体を、容器に装着する構成は、実施形態に限定されない。
【産業上の利用可能性】
【００２３】
注出筒を具えた注出部材に蓋体を装着することにより、注出筒の先端に残った内容液を下に扱き落とし、注出筒先端をいつも清潔に保つことができるので、ソース、つゆ、たれ等の液体食品調味料の注出容器として広く利用できる。
【図面の簡単な説明】
【００２４】
【図１】本発明の容器の説明図で、（ａ）は断面立面図、（ｂ）は要部拡大図である。
【図２】蓋体装着時の要部拡大図で、（ａ）は注出キャップの注出筒先端と蓋体の扱き筒との係合前、（ｂ）は係合時の説明図である。
【図３】別実施例の説明図である。
【符号の説明】
【００２５】
Ａ            容器本体
Ｂ            注出部材
Ｂ１、Ｄ      中栓
Ｂ２          注出キャップ
Ｂ３          ヒンジ
Ｃ、Ｅ        蓋体
１            口筒部
２            肩部
５            内筒
６            底壁
７            除去部
８            プルリング
９、２０      注出筒
９ａ、２０ａ  先端部
１０          頂壁
１１          栓体
１２、２２    扱き筒
１３          外側筒
１４          上段部
１５          扱き突部
１６          下段部
２１          密封リング
【図１】
2008247451.tif 000003
【図２】
2008247451.tif 000004
【図３】
2008247451.tif 000005